(57)【要約】【課題】車両の衝突時に、乗員を確実に拘束し、保護機能を高めることができる乗員拘束装置を提供する。【解決手段】乗員拘束装置１００は、シートベルト装置２００を装着時、座席シート１０の車幅方向中心部よりもタング２５０側となるショルダーベルト部２１１内に、バッグ３００を設け、車両１に対する衝突が検知または予測された際に、バッグ３００を、ショルダーベルト部２１１内から上方に展開させるので、車両１の衝突時に乗員Ｐを確実に拘束し、保護機能を高めることができる。特に、乗員Ｐが着座する位置と反対側からの側面衝突の際に、乗員Ｐが移動する側にバッグ３００を展開するので、乗員Ｐを確実に拘束し、保護機能を高めることができる。【選択図】図２
2019172039.tif 000002
【特許請求の範囲】
【請求項１】
車両の座席シートに対して車幅方向内側にバックルを有し、車幅方向外側にショルダーベルトが引き出されるショルダーアンカーを有して、前記ショルダーベルトに沿って摺動自在に設けられたタングを前記バックルに係止させることにより乗員を拘束するシートベルト装置を用いた乗員拘束装置において、
前記シートベルト装置の装着時、前記座席シートの車幅方向中心部よりもタング側となる前記ショルダーベルト内に設けられ、前記ショルダーベルト内から上方に展開されるバッグと、
乗員が着座する位置と反対側からの側面衝突が検知、または、予測された際に、前記バッグを展開させるバッグ展開装置と、
を備えたことを特徴とする乗員拘束装置。
【請求項２】
前記バッグは、前記シートベルト装置の装着により湾曲した前記ショルダーベルトのラウンド形状で上方に展開される、
ことを特徴とする請求項１に記載の乗員拘束装置。
【請求項３】
前記バッグは、前記タングに近い位置よりも、前記タングから離れた前記ショルダーベルトの上方の配置位置の方が、大きく展開される、
ことを特徴とする請求項１または請求項２に記載の乗員拘束装置。
【発明の詳細な説明】
【技術分野】
【０００１】
本発明は、乗員拘束装置に関する。
【背景技術】
【０００２】
シートベルトの内部にバッグを収納し、車両の衝突時にこのバッグを膨張させて乗員を柔らかく拘束するエアベルト装置が知られている。
また、エアベルトに加え、車両のドア側にエアバッグを備え、乗員の保護機能を高めた乗員拘束装置も提案されている。
例えば、このような乗員拘束装置では、車両の衝突時に、ドア側のエアバッグで乗員の胸部側面を保護し、遅れてエアベルトを膨張させ、車体外側に倒れる乗員の頭部を保護するようにしている（特許文献１参照）。
【先行技術文献】
【特許文献】
【０００３】
【特許文献１】特開平１１−１８０２４１号公報
【発明の概要】
【発明が解決しようとする課題】
【０００４】
しかしながら、このような乗員拘束装置においては、膨張させたエアベルト側に乗員が倒れ込んでくる場合には保護することができるが、乗員が逆側に移動する場合には、十分に保護することができず、乗員がエアベルトから外れ、大きく倒れ込み、移動してしまう虞がある。具体的には、車両の助手席側からの衝突、すなわち、右ハンドルの車両において左からの側突があった場合、運転者は左側に振られる。このとき、エアベルトが運転者の右肩から外れやすく、運転者をしっかり拘束して、十分に保護することができない。
【０００５】
本発明は、このような従来の問題を解決するためになされたもので、車両の衝突時に、乗員を確実に拘束し、保護機能を高めることができる乗員拘束装置を提供することを課題とする。
【課題を解決するための手段】
【０００６】
本発明に係る乗員拘束装置は、車両の座席シートに対して車幅方向内側にバックルを有し、車幅方向外側にショルダーベルトが引き出されるショルダーアンカーを有して、前記ショルダーベルトに沿って摺動自在に設けられたタングを前記バックルに係止させることにより乗員を拘束するシートベルト装置を用いた乗員拘束装置において、前記シートベルト装置の装着時、前記座席シートの車幅方向中心部よりもタング側となる前記ショルダーベルト内に設けられ、前記ショルダーベルト内から上方に展開されるバッグと、乗員が着座する位置と反対側からの側面衝突が検知、または、予測された際に、前記バッグを展開させるバッグ展開装置と、を備えたことを特徴とする。
【０００７】
また、前記バッグは、前記シートベルト装置の装着により湾曲した前記ショルダーベルトのラウンド形状で上方に展開される、ようにしてもよい。
【０００８】
さらに、前記バッグは、前記タングに近い位置よりも、前記タングから離れた前記ショルダーベルトの上方の配置位置の方が、大きく展開される、ようにしてもよい。
【発明の効果】
【０００９】
本発明によれば、車両の衝突時に、乗員を確実に拘束し、保護機能を高めることができる乗員拘束装置を提供することができる。
【図面の簡単な説明】
【００１０】
【図１】本発明の実施の形態における乗員拘束装置を備えた車両の概略を示す断面図である。
【図２】本実施の形態の乗員拘束装置において、バッグが展開した際の正面図である。
【図３】本実施の形態の乗員拘束装置において、バッグが展開した際の上面図である。
【図４】本実施の形態におけるショルダーベルト部の構造の概略を示す斜視図である。
【図５】本実施の形態におけるバッグの形状について説明するための図である。
【発明を実施するための形態】
【００１１】
以下、本発明の実施の形態について、図面を参照して説明する。
図１は、本発明の実施の形態における乗員拘束装置を備えた車両の概略を示す断面図である。また、図２は、本実施の形態の乗員拘束装置が作動し、バッグが展開した際の正面図であり、図３は、バッグが展開した際の上面図である。
【００１２】
（車両１の構成）
図１に示すように、車両１の床面２（アンダーボディのフロアパネルが設けられた部分）には、座席シート１０が配備されている。また、床面２の車幅方向外側（車外側）には、車体内側壁を構成する左右のセンターピラー３が対向して配備され、センターピラー３の上端はルーフサイドレール４に、下端はサイドシル５に一体結合されている。また、ルーフサイドレール４の上部には、ルーフ６がほぼ水平に設けられている。
【００１３】
そして、各座席シート１０には、それぞれ乗員拘束装置１００が設けられている。また、右の座席シート１０の乗員拘束装置１００と、左の座席シート１０の乗員拘束装置１００とは、左右対称に設けられている。
なお、以下では、右の座席シート１０（図１において左側）に設けられた乗員拘束装置１００を例に説明する。
【００１４】
座席シート１０は、乗員Ｐの臀部から大腿部を支えるシートクッション１１（座部）と、リクライニング可能に設けられたシートバッグ１２（背もたれ部）と、乗員Ｐの頭部を支えるヘッドレスト１３（ヘッド部）と、を備えている。
【００１５】
（乗員拘束装置１００の構成）
乗員拘束装置１００は、乗員Ｐを拘束するシートベルト装置２００と、車両１の衝突検知または衝突予測時に展開されるバッグ３００と、車両１の衝突検知または衝突予測時にバッグ３００を展開させるインフレータ４００と、車両１の衝突検知および衝突予測を行う衝突検知装置５００と、を備えている。
【００１６】
（シートベルト装置２００）
シートベルト装置２００は、ウェビング２１０と、ラップアンカー２２０と、ショルダーアンカー２３０と、リトラクター２４０と、タング２５０と、バックル２６０と、を備えている。
【００１７】
ウェビング２１０は、衝突荷重を受け止め、和らげる帯状のベルトである。また、ウェビング２１０は、一端がラップアンカー２２０に固定され、ショルダーアンカー２３０を介して、センターピラー３の開口部３ａからセンターピラー３の内部に挿入され、他端がリトラクター２４０に巻き取られている。
【００１８】
ラップアンカー２２０は、サイドシル５の側壁面に固定されており、上記のように、ウェビング２１０の一端を固定している。
ショルダーアンカー２３０は、座席シート１０に着座した乗員Ｐの肩部上方で、センターピラー３の側壁に設けられ、ウェビング２１０が摺動可能に挿通されている。すなわち、ショルダーアンカー２３０は、車幅方向外側に設けられ、ウェビング２１０（後述するショルダーベルト部２１１）が引き出されるものである。なお、センターピラー３の開口部３ａは、ショルダーアンカー２３０の近傍に設けられている。
【００１９】
リトラクター２４０は、ウェビング２１０を巻き取るものであり、また、緊急時にはロックさせる巻き取り装置である。また、リトラクター２４０は、センターピラー３の内部に設けられ、ウェビング２１０の他端を巻き取り可能に支持している。なお、リトラクター２４０は、ウェビング２１０に対して巻き取り方向に緩い張力を与えている。そして、リトラクター２４０は、ウェビング２１０に一定以上の引き出し速度が加わるとロックさせるものであり、また、車体に一定以上の加速度がかかった場合にもロックさせるものである。
【００２０】
タング２５０は、バックル２６０と連結するためのＴ字型の連結金具である。また、タング２５０は、挿通用孔と、結合用孔と、が設けられた板状の部材である。タング２５０の挿通用孔には、ウェビング２１０が挿通されており、ウェビング２１０に対して摺動自在に設けられている。また、タング２５０の結合用孔は、バックル２６０と結合するために設けられている。
【００２１】
バックル２６０は、タング２５０を着脱する結合部品であり、軽い力でもしっかりとタング２５０を固定することができるようになっている。また、バックル２６０は、座席シート１０のシートクッション１１の車幅方向内側（車両中央側）に設けられている。なお、バックル２６０は、タング２５０が挿入されることにより、タング２５０の結合用孔を係止して固定する一方、バックル２６０の取り外しボタンが操作されることにより、タング２５０を離脱させることで、簡単にタング２５０を着脱できるようになっている。
【００２２】
また、ウェビング２１０は、ウェビング２１０の挿通されたタング２５０をバックル２６０に挿入し、係止させた状態において、ショルダーアンカー２３０からタング２５０までの位置がショルダーベルト部２１１（ショルダーベルト）となり、タング２５０からラップアンカー２２０までの位置がラップベルト部２１２（ラップベルト）となる。すなわち、ウェビング２１０は、乗員Ｐの左肩から胸部前部を通って右腰までを拘束するショルダーベルト部２１１と、乗員Ｐの右腰から前方を通って左腰までを拘束するラップベルト部２１２と、を有する。
【００２３】
また、図４に示すように、ウェビング２１０のショルダーベルト部２１１は、２枚重ね構造となっており、乗員Ｐに接する側の第１ショルダーベルト部２１１ａと、外側となり装着時に車両前方側となる第２ショルダーベルト部２１１ｂと、を有している。
なお、本実施の形態においては、後述するように、ショルダーベルト部２１１を２枚重ね構造として、その間にバッグ３００を設けるようにしたが、これに限らず、ショルダーベルト部２１１を１枚構造として、内側（乗員Ｐに接する側）にバッグ３００を設けるようにしてもよいし、外側（車両前方側）にバッグ３００を設けるようにしてもよい。また、ショルダーベルト部２１１を３枚重ね以上の構造とし、所定の位置にバッグ３００を設けるようにしてもよい。
【００２４】
（バッグ３００）
バッグ３００は、ショルダーベルト部２１１の内部に設けられており、車両１の衝突検知または衝突予測時にインフレータ４００によって展開させられる。また、バッグ３００は、第１ショルダーベルト部２１１ａと、第２ショルダーベルト部２１１ｂと、の間に設けられている。
【００２５】
バッグ３００は、ベルト装着時のショルダーベルト部２１１において、座席シート１０の車幅方向中心部よりもタング２５０側に設けられている。また、上記のように、バッグ３００は、第１ショルダーベルト部２１１ａと第２ショルダーベルト部２１１ｂとの間に設けられており、第１ショルダーベルト部２１１ａと第２ショルダーベルト部２１１ｂとは、バッグ３００が配置された箇所において、下部側はしっかり縫合されており、上部側は圧力が加わると簡単に開くように弱く綴じられている。
【００２６】
また、バッグ３００は、インフレータ４００から内部にガスの供給が可能となっている。バッグ３００は、インフレータ４００からガスが供給されると、膨張し、第１ショルダーベルト部２１１ａと第２ショルダーベルト部２１１ｂとの上部の接着を開いて、乗員Ｐの左の脇の下（一方の脇の下）方面を狙って上方に展開するようになっている。なお、バッグ３００は、乗員Ｐの脇の下付近まで展開するため、乗員Ｐの拘束時に、肋骨によって支えられ、腹部など体の弱い部分への圧迫を極力避けることができる。また、ショルダーベルト部２１１と離れた部分で支えることができるため、乗員Ｐの拘束力を高めることができる。
【００２７】
また、バッグ３００は、ショルダーベルト部２１１が挿着されている際には、ショルダーベルト部２１１の形状に沿って、湾曲したラウンド形状となっているが、展開時は、このラウンド形状のまま、上方に展開する。
さらに、バッグ３００は、タング２５０から離れたショルダーアンカー２３０に近い側のバッグ３００の上方部３００ａの方が、タング２５０に近い側のバッグ３００の下方部３００ｂよりも、大きく展開されるようになっている。すなわち、バッグ３００は、座席シート１０の車幅方向中心部に近い側の方が、座席シート１０の外側に当たる側（左側）よりも、大きく展開されるようになっている。
【００２８】
（インフレータ４００）
インフレータ４００は、バッグ３００にガスを供給するものである。より詳しくは、インフレータ４００は、衝突検知装置５００が車両１の衝突検知または衝突予測を行うと作動され、衝突検知装置５００から送られた信号に基づいて、火薬に点火し、燃焼による化学反応でガスを発生させ、バッグ３００にガスを供給し、バッグ３００を展開させるものである。すなわち、インフレータ４００は、車両１の衝突検知または衝突予測が行われた際に、バッグ３００を展開させるバッグ展開装置の役割を担うものである。
【００２９】
（衝突検知装置５００）
衝突検知装置５００は、車両１の衝突検知および衝突予測を行うものである。また、衝突検知装置５００は、衝突検知または衝突予測を行った際に、インフレータ４００を作動させるものである。例えば、衝突検知装置５００は、乗員Ｐが着座する位置とは反対側（左側）からの障害物の側面衝突（側突）、あるいは、左前方からの斜めの衝突（斜突）を検知および予測する。
【００３０】
なお、本実施の形態においては、衝突検知装置５００が、車両１に対する衝突の予測と、衝突の検知と、の双方を行うようにしているが、これに限らず、衝突検知装置５００が、車両１に対する衝突の予測のみを行うものであっても、車両１に対する衝突の検知のみを行うものであってもよい。
また、衝突検知装置５００、インフレータ４００は、ＥＣＵ（Ｅｌｅｃｔｒｏｎｉｃ  Ｃｏｎｔｒｏｌ  Ｕｎｉｔ）によって制御されるようにしてもよい。
【００３１】
（乗員拘束装置１００の動作）
このような乗員拘束装置１００において、シートベルト装置２００が挿着されると、作動準備状態となる。具体的には、タング２５０がバックル２６０に挿入され、係合されると、対象の座席シート１０に対するインフレータ４００が、衝突検知装置５００からの信号出力先の対象となる。
そして、衝突検知装置５００が、車両１の衝突検知または衝突予測を行うと、対象のインフレータ４００に対して信号を送信し、インフレータ４００を作動させる。
【００３２】
インフレータ４００は、衝突検知装置５００による衝突検知または衝突予測により信号が送られてくると、ガスを発生させ、バッグ３００にガスを供給する。
【００３３】
バッグ３００は、インフレータ４００からガスが供給されると、ショルダーベルト部２１１内で膨張する。バッグ３００が膨張すると、バッグ３００の上部の位置の第１ショルダーベルト部２１１ａと第２ショルダーベルト部２１１ｂとの接着を開き、バッグ３００がショルダーベルト部２１１から突出する。バッグ３００に対してインフレータ４００のガスがされに供給されると、バッグ３００は、乗員Ｐの脇の下付近まで膨張、展開する。
【００３４】
なお、このとき、ショルダーベルト部２１１は、乗員Ｐの腰に沿って湾曲して挿着されているので、バッグ３００は、この湾曲したラウンド形状のまま、上方に突出し、乗員Ｐを囲う壁のように現れる。
このように、バッグ３００は、ラウンド形状で突出するので、乗員Ｐがバッグ３００方向に倒れ込んでも、形状により折れ難く、倒れ難いため、乗員Ｐをしっかりと受け止めることができる。また、バッグ３００が乗員Ｐの脇の下付近まで展開するので、乗員Ｐの肋骨付近で接触することができ、乗員Ｐの拘束力を高めることができる。
【００３５】
さらに、バッグ３００は、座席シート１０の車幅方向中心部に近い側の方が、座席シート１０の外側に当たる側（左側）よりも、大きく展開されるようになっている。ここで、図５に示すように、乗員Ｐが、痩せた人、小さい人の場合には、シートベルト装置２００が挿着される際に、ショルダーベルト部２１１が余り引き出されずに、タング２５０をバックル２６０に係合させることができる。したがって、バッグ３００の展開が小さい部分が、乗員Ｐの側部に当たることとなるが、乗員Ｐの体重は軽いものと考えられるため、十分に乗員Ｐを保護することができる。また、小さな人に対して、バッグ３００が突出し過ぎないため、脇の下に過度の力がかかるなど、乗員Ｐに負荷をかけずに、適切に拘束することができる。
【００３６】
また、乗員Ｐが、太った人、大きい人の場合には、シートベルト装置２００が挿着される際に、ショルダーベルト部２１１が大きく引き出されてタング２５０をバックル２６０に係合させることとなる。したがって、バッグ３００の展開が大きい部分が、乗員Ｐの側部に当たることとなる。このため、乗員Ｐの体重が重いものであっても、十分に乗員Ｐを保護することができる。
【００３７】
さらに、上記のように、用途（展開位置）に応じてバッグ３００の場所によって展開量を変化させているので、インフレータ４００のガスを有効に利用でき、インフレータ４００の大型化を抑制することができる。
なお、本実施の形態においては、バッグ３００を、座席シート１０の車幅方向中心部に近い側の方が、座席シート１０の外側に当たる側よりも、大きく展開されるようにしたが、これに限らず、展開量を全て同じにしてもよいし、座席シート１０の車幅方向中心部に近い側の方が、座席シート１０の外側に当たる側よりも、小さく展開されるようにしてもよい。例えば、バッグ３００を、座席シート１０の車幅方向中心部に近い側の方が、座席シート１０の外側に当たる側よりも、小さく展開されるようにして、バッグ３００の展開部の先端が、略水平となるようにしてもよい。
【００３８】
以上のように、本実施の形態における乗員拘束装置１００は、シートベルト装置２００を装着時、座席シート１０の車幅方向中心部よりもタング２５０側となるショルダーベルト部２１１内に、バッグ３００を設け、車両１に対する衝突が検知または予測された際に、バッグ３００を、ショルダーベルト部２１１内から上方に展開させるので、車両１の衝突時に乗員Ｐを確実に拘束し、保護機能を高めることができる。特に、乗員Ｐが着座する位置と反対側からの側面衝突の際に、乗員Ｐが移動する側にバッグ３００を展開するので、乗員Ｐを確実に拘束し、保護機能を高めることができる。
【００３９】
また、本実施の形態における乗員拘束装置１００は、バッグ３００が、シートベルト装置２００の装着により湾曲したショルダーベルト部２１１のラウンド形状で上方に展開されるので、バッグ３００が折れ難く、倒れ難くなり、強度が増し、乗員Ｐを確実に拘束し、保護機能を高めることができる。
【００４０】
さらに、本実施の形態における乗員拘束装置１００は、バッグ３００が、タング２５０に近い位置よりも、タング２５０から離れたショルダーベルト部２１１の上方の配置位置の方が、大きく展開されるので、乗員Ｐの体型に応じて、適切な展開量で保護することができ、インフレータ４００のガスを有効に利用して、乗員Ｐの保護機能を高めることができる。
【符号の説明】
【００４１】
１  車両、２  床面、３  センターピラー、３ａ  開口部、４  ルーフサイドレール、５  サイドシル、６  ルーフ、１０  座席シート、１１  シートクッション、１２  シートバッグ、１３  ヘッドレスト、１００  乗員拘束装置、２００  シートベルト装置、２１０  ウェビング、２１１  ショルダーベルト部、２１１ａ  第１ショルダーベルト部、２１１ｂ  第２ショルダーベルト部、２１２  ラップベルト部、２２０  ラップアンカー、２３０  ショルダーアンカー、２４０  リトラクター、２５０  タング、２６０  バックル、３００  バッグ、４００  インフレータ、５００  衝突検知装置
【図１】
2019172039.tif 000003
【図２】
2019172039.tif 000004
【図３】
2019172039.tif 000005
【図４】
2019172039.tif 000006
【図５】
2019172039.tif 000007